(57)【要約】【課題】張りを有しながら本来の風合い等が維持されており、しかも表地と裏地の柄を、それを見る者にはっきりと認識させることができ、それでいて薄く形成できるカーテン生地を得る。【解決手段】ロールカーテン用生地１は、表地２と裏地３とが熱融着性の接着剤シート４により貼り合わされている。これにより、両生地２，３が互いに相手の伸縮を制限し合って適度な張りが生じるから、コーティング処理は不要となり、張りを有しながら生地本来の風合い等も維持できる。しかも、表地２は遮光生地であるため、柄が反対側に透けることがなく、表地２及び裏地３の柄を、それを見る者にはっきり認識させることができる。加えて、遮光性は表地２それ自体に付与されているため、接着剤層としては一層だけとなり、ロールカーテン用生地１をより薄くすることができる。【選択図】      図１
2006077534.tif 000002
【特許請求の範囲】
【請求項１】
表面にそれぞれ柄を有する表地と裏地とを備え、その両者をそれぞれの柄が表側となるように貼り合わせたカーテン生地であって、
前記表地又は前記裏地を、遮光性を付与した遮光生地とし、その表地と裏地とで挟まれた熱融着性の接着剤シートにより、両者を貼り合わせたことを特徴とするカーテン生地。
【請求項２】
前記柄を、前記表地と前記裏地とで異なるものとしたことを特徴とする請求項１に記載のカーテン生地。
【請求項３】
前記表地及び裏地の少なくとも一方の表面を無地として、その無地表面に昇華転写により前記柄を設けたことを特徴とする請求項１又は２に記載のカーテン生地。
【請求項４】
請求項１乃至３のいずれかに記載のカーテン生地を用いたことを特徴とするロールカーテン用生地。
【発明の詳細な説明】
【技術分野】
【０００１】
本発明は、カーテン生地、より具体的には、ロールカーテン、たくし上げカーテン、プリーツカーテン等に使用されるカーテン生地、及びロールカーテン用生地に関するものである。
【背景技術】
【０００２】
従来から店舗や住宅では、窓の目隠しや装飾のためにロールカーテン（ロールスクリーンともいう。）が設置されている。このロールカーテン１１は、図３に示すように、窓枠等に取り付けられる支持ブラケット１２を備え、その支持ブラケット１２には図示しない巻取機構を内蔵する巻取筒１３が回動可能に支持されている。巻取筒１３にはカーテン生地１４の一端が取り付けられ、その巻取筒１３からカーテン生地１４が吊下げられている。カーテン生地１４の他端には、カーテン生地１４に張りをもたせるためのウェイトバー１５が取り付けられており、そのウェイトバー１５には操作紐１６が設けられている。そして、巻取筒１３にカーテン生地１４が巻き取られた状態から、操作紐１６を引いてカーテン生地１４を巻取筒１３から引き出した後、所望の引き出し位置で操作紐１６を離すと前記巻取機構の作動によってカーテン生地１４がその位置で吊下支持されるようになっている。また、その引き出し状態において、操作紐１６を介してカーテン生地１４を若干引き下げると前記巻取機構が作動し、カーテン生地１４が自動的に巻取筒１３に巻き取られる。（特許文献１参照）
このようなロールカーテン１１では、カーテン生地１４の巻き取りと引き出しが繰り返し行われるため、カーテン生地１４には皺等が生じやすい。また、皺の生じたカーテン生地１４では、巻き取りや引き出しがスムーズに行われない。そこで、一般にロールカーテン１１に使用されるカーテン生地１４にはそれ自体に張りが与えられ、皺が生じることを防止している。従来、このようなカーテン生地１４の張りは、カーテン生地１４に樹脂をコーティングすることによって行われていた。
【０００３】
しかしながら、カーテン生地１４へのコーティング処理は、カーテン生地１４本来の風合い等を変化させる原因となる。ドレープカーテンのカーテン生地にはこのようなコーティング処理は行われないことから、そのドレープカーテンとロールカーテン１１との間に風合い等の統一性をもたせることができないという問題がある。
【特許文献１】特開平５−３２１５４９号公報
【発明の開示】
【発明が解決しようとする課題】
【０００４】
上記問題に対処すべく、カーテン生地２１を表地と裏地の二枚の生地を貼り合わせたものとすることが考えられる。これによれば、両生地が互いに相手の伸縮を制限し合うため、適度な張りをもつカーテン生地２１が得られる。しかも、表地と裏地のそれぞれに柄を設けて、リバーシブル性をもたせるというメリットも有する。しかしながら、表地と裏地のそれぞれに柄を設けた場合に、一方の柄が反対側に透けて見えてしまうという新たな問題がある。すなわち、昼間であれば図４に示すように、室内にいる者には日光を受ける裏地の柄２３が表地の柄２２に重なって見える。逆に、夜間は外にいる者には室内の光を受ける表地の柄２２が裏地の柄２３に重なって見えてしまう。このため、せっかくの柄もわかりにくく、柄を設けた意味がなくなるという問題がある。
【０００５】
そこで、この問題にも対処すべく、遮光性のシートを表地と裏地との間に挟むことが考えられる。この場合、遮光性シートの存在により柄が透けて見えることを防止できる。しかしながら、接着剤層が表地と遮光性シートとの間、及び裏地と遮光性シートとの間の二層にもなり、表地、裏地及び遮光性シートを合わせればカーテン生地は五層になって分厚くなってしまう。そのような分厚いカーテン生地では、カーテン生地がかさ張ってしまうため、ロールカーテンに適さないというさらなる問題がある。
【０００６】
そして、かかる問題はロールカーテンだけでなく、たくし上げカーテンやプリーツカーテン等においても同様に生じる。
【０００７】
上記の問題に鑑み、本発明は、張りを有しながら本来の風合い等が維持されており、しかも表地と裏地の柄を、それを見る者にはっきりと認識させることができ、それでいて薄く形成できるカーテン生地を提供することを主目的とする。
【課題を解決するための手段】
【０００８】
以下、上記課題を解決するのに有効な手段につき、作用、効果を示しつつ説明する。
【０００９】
手段１．表面にそれぞれ柄を有する表地と裏地とを備え、その両者をそれぞれの柄が表側となるように貼り合わせたカーテン生地であって、
前記表地又は前記裏地を、遮光性を付与した遮光生地とし、その表地と裏地とで挟まれた熱融着性の接着剤シートにより、両者を貼り合わせたことを特徴とするカーテン生地。
【００１０】
手段１によれば、表地と裏地の二枚の生地が貼り合わされているため、その両者が互いに相手の伸縮を制限し合うことで、適度な張りをもたせることが可能となる。これにより、従来、張りを付与するために施されていたコーティング処理は不要となり、張りを有しながら本来の風合い等も維持されたカーテン生地が得られる。また、表地と裏地のそれぞれに柄を有するから、そのいずれ側も表として使用できる（リバーシブル性を有する）。しかも、表地又は裏地は遮光性を付与した遮光生地とされているため、一方の柄が反対側に透けてその反対側の柄に重なって見えることもない。したがって、表地及び裏地の柄を、それを見る者にはっきり認識させることができ、柄を有効に活用できる。加えて、遮光性は表地又は裏地それ自体に付与されているため、接着剤層としては一層だけとなる。これにより、遮光性シートを間に介在させて接着剤層が二層必要となる構成に比べ、カーテン生地をより薄くすることができ、カーテン生地がかさ張ることを防止できる。これは、店舗などに使用されてカーテン生地の丈が長くなった場合に、特に有効となる。このように、手段１によれば、従来技術が有していた問題点を一挙に解決できる。
【００１１】
なお、遮光性は、光吸収色、特に可視光線がすべて吸収される黒色からなる糸を織り込み又は編み込んだ多重織りとしたり、表地又は裏地の裏面（貼り合わせ面）に樹脂をコーティングしたりすることで付与される。この樹脂コーティングは裏面だけになされるので、柄の描かれた表面に影響はなく、その表面での風合いは維持される。
【００１２】
手段２．前記柄を、前記表地と前記裏地とで異なるものとしたことを特徴とする手段１に記載のカーテン生地。
【００１３】
手段２によれば、表地と裏地のそれぞれの柄を使って様々な工夫を凝らすことができ、このカーテン生地を使用したロールカーテン等の利用価値を高めることができる。例えば、ロールカーテン等を店舗に設置する場合、表地（店内側）の柄を店内のイメージや雰囲気に合わせたものとし、裏地（窓側）の柄を店舗宣伝用の柄とすることができる。店舗宣伝用の柄とは、店舗名や広告、店舗のイメージキャラクターなどである。これにより、ロールカーテン等を単なる目隠しや装飾のためだけでなく、店舗の雰囲気作りや宣伝に利用でき、ロールカーテンの用途が拡大する。また、店舗や住宅において、ロールカーテン等を部屋の間仕切りや目隠しとして用いる場合、表地及び裏地がそれぞれ面する部屋のイメージや雰囲気に合わせて柄を描けば、ロールカーテン等を設けても部屋のイメージや雰囲気を維持できる。
【００１４】
手段３．前記表地及び裏地の少なくとも一方の表面を無地として、その無地表面に昇華転写により前記柄を設けたことを特徴とする手段１又は２に記載のカーテン生地。
【００１５】
手段３によれば、個々のユーザの要望や好みに応じた色、デザイン、文字等を有する柄を表地及び裏地の表面（非貼り合わせ面）に描くことができる。しかも、手段３では、従来技術のように生地全体にコーティング処理を施さないため、昇華転写により描いた柄の色合い等がコーティング処理によって変化してしまうことがない。このため、ユーザが希望したとおりの色合い等をもった柄をカーテン生地に描くことができる。
【００１６】
手段４．手段１乃至３のいずれかに記載のカーテン生地を用いたことを特徴とするロールカーテン用生地。
【００１７】
手段４によれば、張りを有しながら本来の風合い等も維持されたロールカーテン用生地が得られる。また、遮光性を付与しながら接着剤層としては一層だけであり、ロールカーテン用生地を薄く形成できる。カーテン生地の巻き取りと引き出しが繰り返されるロールカーテンにおいては、カーテン生地に皺等が生じやすく、その皺はカーテン生地のスムーズな引き出しや巻き取りの妨げとなる。このため、カーテン生地に張りをもたせることが必要であるが、それと同時に生地本来の風合いも維持したい。また、店舗などでの使用を考えるとカーテン生地がかさ張ることも避けたいため、カーテン生地はできるだけ薄くする必要もある。この点、手段４では、これらの課題すべてを一挙に解決できるため、ロールカーテン用生地として最適なものとなる。
【００１８】
手段５．表地と裏地とをその両者の間に介在する熱融着性の接着剤シートにより貼り合わせた店舗用ロールカーテン生地であって、
店内側となる前記表地を、遮光性が付与され、かつ店内側の表面に柄を有する遮光生地とし、窓側となる前記裏地を、窓に面する表面が無地となった非遮光生地とし、その裏地の表面には昇華転写により描かれた店舗宣伝用の柄を有することを特徴とする店舗用ロールカーテン生地。
【００１９】
手段５によれば、店舗用ロールカーテンにおいて、店内側となる表地には従来からあるロールカーテンの柄を有しながら、窓側となる裏地には店舗宣伝用の柄を有することとなる。店舗宣伝用の柄とは、例えば店舗名や広告、店舗のイメージキャラクターなどである。そして、この店舗宣伝用の柄は、昇華転写により描かれているため、その柄は表地の柄のように予め用意されたものから選択するのではなく、ユーザの要望や好みに応じて自由にデザインすることができる。しかも、表地は遮光生地とされているため、表地と裏地の柄がそれぞれ反対側に透けて見えることもない。このため、店舗宣伝用の柄を店舗外の人にはっきりと認識させることができる。これにより、店舗用ロールカーテンを目隠しや装飾のためだけでなく、店舗の宣伝にも利用できることになり、手段５の生地は店舗用ロールカーテンの用途拡大に寄与できる。
【発明を実施するための最良の形態】
【００２０】
以下、発明を具体化した一実施の形態を図１及び図２に基づいて説明する。なお、本実施の形態ではロールカーテン用生地に具体化したものであり、図１はロールカーテン用生地の分解斜視図、図２はロールカーテン用生地の一部断面図である。
【００２１】
図１に示すように、ロールカーテン用生地１は表地２、裏地３及び接着剤シート４により構成されている。表地２はポリエステル、ナイロン、アクリル、レーヨン等の合成繊維の織物からなる遮光生地であり、表側（表面）２ａを白色、ベージュ色等の無地とし、裏側（裏面）２ｂが黒色とされている。表裏で異なる色とされているのは、白色、ベージュ色等の糸と黒色の糸とを用いて経二重・緯二重・経緯二重などの多重織りによって多重組織とされているからである。そして、この多重織りにより、表地２の裏面２ｂを黒色とし、かつ織り目からの光の漏れを通常の生地よりも少なくすることで、通常の生地より高い遮光性が付与されている。また、表地２の表面２ａには表柄５（図１では例としてコーヒーカップを示す）が昇華転写によって描かれている。この昇華転写は昇華インクをインクジェット式のプリンタで転写紙に印刷し、その転写紙の印刷面を表地２の表面２ａに合わせ、熱を加えながら加圧することで染色する周知のものである。
【００２２】
他方、前記裏地３は表地２と同様、合成繊維の織物からなり、白色、ベージュ色等の無地とされている。この裏地３の表側（表面）３ａには表柄５とは異なる図柄の裏柄６（図１では例として「ＡＢＣ」の店名を示す）が前述した昇華転写によって描かれている。また、前記接着剤シート４はポリエチレン系の熱融着性を有する材料により形成されたフィルム又は不織布である。
【００２３】
そして、この接着剤シート４を表地２及び裏地３それぞれの裏面（柄が描かれていない面）２ｂ，３ｂで挟むようにして表地２と裏地３とが貼り合わされ、接着剤シート４によって表地２と裏地３とが溶着されている。接着剤シート４による溶着は、表地２と裏地３とを貼り合せた状態で熱を加えながら加圧することで、その熱により接着剤シート４を溶かし表地２と裏地３とを溶着するものである。これにより、図２に示すように、ロールカーテン用生地１は、表地２、裏地３及び接着剤シート４の３層となっている。
【００２４】
また、このロールカーテン用生地１の側縁は超音波を用いて溶着、溶断されている。この超音波による溶着、溶断は、超音波振動がロールカーテン用生地１に与えられることでそのカーテン生地１に摩擦等によって生じる熱を利用して行われる周知のものである。そして、この超音波による溶着、溶断により、側縁でのほつれが防止されている。
【００２５】
以上詳述したロールカーテン用生地１は以下の優れた効果を有する。
【００２６】
まず、本実施の形態のロールカーテン用生地１は、表地２と裏地３の二枚の生地が貼り合わされているため、その両生地２，３が互いに相手の伸縮を制限し合うことで、適度な張りをもたせることが可能となる。これにより、樹脂コーティング処理をすることなく、ロールカーテン用生地１に必要な張りをもたせることができ、張りを有しながら本来の風合い等も維持されたロールカーテン用生地１が得られる。
【００２７】
また、表地２と裏地３のそれぞれの表面２ａ，３ａに表柄５及び裏柄６が描かれているから、そのいずれもロールカーテンの表として使用できる（リバーシブル性を有する）。しかも、表地２は遮光生地とされているため、裏柄６が透けて表柄５に重なって見えたり、表柄５が透けて裏柄６に重なって見えたりすることもない。したがって、表柄５及び裏柄６を、それを見る者にはっきり認識させることができ、表柄５及び裏柄６を有効に活用できる。
【００２８】
特に、表柄５と裏柄６をそれぞれ異なるものとすれば、表柄５及び裏柄６を使って様々な工夫を凝らすことができ、ロールカーテンの利用価値を高めることができる。例えば、ロールカーテンを店舗に設置する場合、表柄５（店内側）を店内のイメージや雰囲気に合わせたもの（例えば、喫茶店であれば図１のようなコーヒーカップ）とし、裏柄６（窓側）を店舗宣伝用の柄とすることができる。店舗宣伝用の柄とは、店舗名や広告、店舗のイメージキャラクターなどである。これにより、ロールカーテンを単なる目隠しや装飾のためだけでなく、店舗の雰囲気作りや宣伝にも利用でき、ロールカーテンの用途が拡大する。また、店舗や住宅において、ロールカーテンを部屋の間仕切りや目隠しとして用いる場合、表柄５や裏柄６を表地２及び裏地３のそれぞれが面する部屋のイメージや雰囲気に合わせて描けば、ロールカーテンを設けても部屋のイメージや雰囲気を維持できる。
【００２９】
また、本実施の形態では、表地２を遮光生地としてそれ自体に遮光性が付与されているため、接着剤層としては一層だけとなる。これにより、遮光性シートを表地２と裏地３との間に介在させて接着剤層が二層必要となる構成に比べ、ロールカーテン用生地１をより薄くすることができる。これにより、ロールカーテン用生地１がかさ張ることを防止できる。店舗などに使用されてロールカーテン用生地１の丈が長くなった場合には、少し分厚くなっただけでも巻き取り状態では大きくかさ張ることになるため、本実施の形態のように薄くした効果はきわめて大きい。
【００３０】
また、本実施の形態では、表柄５及び裏柄６は無地の生地に昇華転写により描かれているため、個々のユーザの要望や好みに応じた色、デザイン、文字等をもつ図柄をロールカーテン用生地１の表地２及び裏地３に描くことができる。しかも、従来技術のようにロールカーテン用生地１の全体にコーティング処理を施さないため、昇華転写により描いた柄の色合い等がコーティング処理によって変化してしまうことがない。このため、ユーザが希望したとおりの色合い等を維持できる。
【００３１】
なお、実施の形態は上記した内容に限定されず、例えば次のように実施してもよい。
【００３２】
本実施の形態では、表地２及び裏地３の素材として合成繊維を用いたが、綿、麻、絹、羊毛等の天然繊維、金属、それらと合成繊維の混紡、交撚、交織等を用いてもよい。ただし、接着剤シート４を用いて表地２と裏地３とを熱融着させる関係上、合成繊維を５０％以上含むことが好ましい。また、表地２及び裏地３を織物としたが、編物や不織布であってもよい。
【００３３】
本実施の形態では、接着剤シート４の素材をポリエチレン系のものとしたが、その他、酢酸ビニル系、ポリビニルアルコール系、ポリウレタン系、ポリアミド系、ポリエステル系等の材料により形成してもよい。
【００３４】
本実施の形態ではロールカーテン用生地１に具体化して説明したが、カーテン生地はたくし上げカーテンやプリーツカーテン等に使用してもよい。
【００３５】
本実施の形態では、表地２の表面２ａ及び裏地３の色の例として白、ベージュといった白を基調とする色を挙げただけであるが、それに限定されず、ロールカーテン等に適した色であれば他の色であってもよい。また、遮光性を付与するために織り込まれる色は、黒色でなく紺色や赤色などの濃色であってもよい。もっとも、可視光線をすべて吸収する黒色であることが最も好ましい。
【００３６】
本実施の形態では、表地２を遮光生地としているが、裏地３を遮光生地としてもよい。また、本実施の形態では表地２を多重組織とすることで遮光性を付与した遮光生地としたが、裏面２ａだけに樹脂をコーティングする等、その他の手段によって遮光性を付与した遮光生地であってもよい。なお、樹脂コーティングしたとしてもそれは裏面２ａだけになされるから、表柄５の描かれた表面２ａの色や風合いは維持される。
【００３７】
本実施の形態では、表柄５及び裏柄６を昇華転写によって描いたが、シルクスクリーン印刷、ジャガード織などで織り込む方式によって描いてもよい。
【００３８】
本実施の形態では、遮光生地である表地２をその表面２ａが無地のものとし、そこに昇華転写により表柄５を描いたが、表地２として、シルクスクリーン印刷やジャガード織などによる柄を有する遮光生地を利用してもよい。このような遮光生地は昇華転写というさらなる加工が不要となる点でメリットがある。
【図面の簡単な説明】
【００３９】
【図１】ロールカーテン用生地の分解斜視図。
【図２】ロールカーテン用生地の一部断面図。
【図３】ロールカーテンを示す正面図。
【図４】従来技術の問題点を示すロールカーテン用生地の正面図。
【符号の説明】
【００４０】
１…ロールカーテン用生地、２…表地、３…裏地、４…接着剤シート、５…表柄、６…裏柄。
【図１】
2006077534.tif 000003
【図２】
2006077534.tif 000004
【図３】
2006077534.tif 000005
【図４】
2006077534.tif 000006